(57)【要約】【課題】任意のモニタを容易に装着したり取り外したりすることができるようにする。【解決手段】  装着部１１が前方にスライドされると、つば３２３およびつば３２４がロック３１１およびロック３１２に引っかかり、左ベース板３２１および右ベース板３２２が挟み状に飛び出し、開いた状態になる。テレビジョン受像機２１を設置後、装着部１１が後方にスライドされると、フック３４２およびフック３６２が飛び出してテレビジョン受像機２１を固定する。テレビジョン受像機２１がセットされていない場合、つば３２３がばね支え３１３により押し戻され、左ベース板３２１および右ベース板３２２が閉じて、モニタロック３３は装着部１１内に収納される。本発明は、テレビジョン受信装置やモニタ等を固定するスタンドに適用することができる。【選択図】図３６
2006308006.tif 000002
【特許請求の範囲】
【請求項１】
可動な所定の部材に設けられ、対象物を前記部材に対して固定する固定機構であって、
前記部材の位置変動に連動して、前記対象物を前記部材に対して固定する固定手段を備える
ことを特徴とする固定機構。
【請求項２】
前記固定手段は、先端が鉤状の形状をなすフックを備え、前記部材の位置変動に連動して、前記フックを回転動作させ、前記フックの先端の前記鉤状の形状を利用して前記対象物の所定の位置を固定する
ことを特徴とする請求項１に記載の固定機構。
【請求項３】
前記部材は、不動の固定部材に対してパンタグラフ機構により接続されており、前記パンタグラフ機構による可動範囲内で、前記固定部材に対して前後方向にスライド動作し、
前記固定手段は、前記部材が前方にスライドされたときに、前記対象物を固定可能な状態に状態変化し、前記部材が後方にスライドされたときに、所定の位置に設置された前記対象物を前記部材に対して固定する
ことを特徴とする請求項１に記載の固定機構。
【請求項４】
前記部材が後方にスライドされたときに、前記対象物が所定の位置に設置されていない場合、前記固定手段は、前記部材内に収納される
ことを特徴とする請求項３に記載の固定機構。
【請求項５】
固定部材と、前記固定部材に対して可動な状態で連結される可動部材とを有し、前記可動部材において、モニタを安定的に固定するためのモニタ固定装置であって、
前記可動部材の前記固定部材に対する位置変動に連動して、前記モニタを前記可動部材に対して固定するモニタ固定手段を備える
ことを特徴とするモニタ固定装置。
【発明の詳細な説明】
【技術分野】
【０００１】
本発明は、固定機構およびモニタ固定装置に関し、特に、ユーザが設置された任意のモニタを容易に装着したり取り外したりすることができるように、複数のモニタを設置することができるようにする固定機構およびモニタ固定装置に関する。
【背景技術】
【０００２】
従来、多数のテレビジョン受像機を互いに接続して使用し、単体で使用する場合よりも高機能を実現するようにする方法がある。（例えば、特許文献１参照）。このような方法を用いたスケーラブルTVシステムにおいては、例えば、接続された複数のテレビジョン受像機の全ての画面を使って１つの画像を表示させたり（全ての画面を１つの画面として使用したり）、各画面に同じ画像を表示させたり、同じ動画像より互いに異なるタイミングでキャプチャした静止画（一連の動作を複数の静止画像で表現した連続画像）をそれぞれのモニタに表示させたり、互いに異なるチャンネルの番組を同時に表示させたりすることができる。
【０００３】
また、テレビジョン受像機を安定して設置するための専用部材を用いる方法がある。このような専用部材として例えば、テレビジョン受像機を入れる棚であるラックや、テレビジョン受像機を壁に設置するための壁掛けフック等がある。また、テレビジョン受像機を上に置いて、テレビジョン受像機が好ましい高さ（位置）に設置されるようにするスタンドもある。
【０００４】
このようなスタンド（ディスプレイスタンド）には、設置するディスプレイの設置向き等を変更することができる可動式のスタンドも存在する（例えば、特許文献２参照）。このディスプレイスタンドは、可動式のアームを有しており、このアームによってディスプレイの背面を固定する。これにより、ディスプレイはアームの可動範囲内で設置向きや位置などを変更することができる。また、このアームを複数個設けることにより、このディスプレイスタンドは、複数のディスプレイを設置することも可能である。
【０００５】
【特許文献１】特開２００３−１９５８４３号公報
【特許文献２】特開２００４−１９１６０１号公報
【発明の開示】
【発明が解決しようとする課題】
【０００６】
しかしながら、例えば、上述したように、複数のテレビジョン受像機を連携して動作させ、全ての画面を１つの画面として使用し、１つの画像を表示するようにする場合、各テレビジョン受像機の画面が互いに離れていて、各画面の間隔が広いと、表示された１つの画像が１つの画像に見えない恐れがある。つまり、各テレビジョン受像機が互いに離れていると、ユーザにとって画像が見づらくなってしまう恐れがある。従って、各テレビジョン受像機は、互いにできるだけ近接して設置されるほうが望ましい。
【０００７】
しかしながら、上述したアームを用いる方法の場合、例えば行列状に互いに接するように配置されたディスプレイの中央付近のディスプレイ、すなわち、周囲を他のディスプレイによって囲まれたディスプレイの場合、そのディスプレイの側面に隙間が無いため手や指を挿入することができず、ユーザは、取り外しや設置の作業が困難である恐れがあった。
【０００８】
特に、特許文献１に記載のスケーラブルTVシステムの場合、複数のテレビジョン受像機を接続して使用することも、各テレビジョン受像機を個別に使用することも想定されている。このようなスケーラブルTVシステムにおいては、テレビジョン受像機のスタンドへの装着や取り外し（着脱）は頻繁に行われるが、上述したように、ユーザが自由に容易にディスプレイの着脱を行うことができない場合、システムの利便性を低下させてしまう恐れがあった。
【０００９】
本発明はこのような状況に鑑みてなされたものであり、ユーザが設置された任意のモニタを容易に装着したり取り外したりすることができるように、複数のモニタを設置することができるようにするものである。
【課題を解決するための手段】
【００１０】
本発明の固定機構は、可動な所定の部材に設けられ、対象物を部材に対して固定する固定機構であって、部材の位置変動に連動して、対象物を部材に対して固定する固定手段を備えることを特徴とする。
【００１１】
前記固定手段は、先端が鉤状の形状をなすフックを備え、部材の位置変動に連動して、フックを回転動作させ、フックの先端の鉤状の形状を利用して対象物の所定の位置を固定するようにすることができる。
【００１２】
前記部材は、不動の固定部材に対してパンタグラフ機構により接続されており、パンタグラフ機構による可動範囲内で、固定部材に対して前後方向にスライド動作し、固定手段は、部材が前方にスライドされたときに、対象物を固定可能な状態に状態変化し、部材が後方にスライドされたときに、所定の位置に設置された対象物を部材に対して固定するようにすることができる。
【００１３】
前記部材が後方にスライドされたときに、対象物が所定の位置に設置されていない場合、固定手段は、部材内に収納されるようにすることができる。
【００１４】
本発明のモニタ固定装置は、固定部材と、固定部材に対して可動な状態で連結される可動部材とを有し、可動部材において、モニタを安定的に固定するためのモニタ固定装置であって、可動部材の固定部材に対する位置変動に連動して、モニタを可動部材に対して固定するモニタ固定手段を備えることを特徴とする。
【００１５】
本発明の固定機構においては、部材の位置変動に連動して、対象物がその部材に対して固定される。
【００１６】
本発明のモニタ固定装置においては、可動部材の固定部材に対する位置変動に連動して、モニタがその可動部材に対して固定される。
【発明の効果】
【００１７】
本発明によれば、ユーザが設置された任意のモニタを容易に装着したり取り外したりすることができるように、複数のモニタを設置することができる。
【発明を実施するための最良の形態】
【００１８】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加されたりする発明の存在を否定するものではない。
【００２０】
本発明においては、可動な所定の部材に設けられ、対象物を部材に対して固定する固定機構（例えば、図４のモニタロック）が提供される。この固定機構では、部材の位置変動に連動して、対象物を部材に対して固定する固定手段（例えば、図３２の左ベース板、右ベース板、およびフック）を備える。
【００２１】
本発明においては、固定部材と、固定部材に対して可動な状態で連結される可動部材（例えば、図１の装着部）とを有し、可動部材において、モニタ（例えば、図１のテレビジョン受像機）を安定的に固定するためのモニタ固定装置（例えば、図１のスタンド）が提供される。このモニタ固定装置では、可動部材の固定部材に対する位置変動に連動して、モニタを可動部材に対して固定するモニタ固定手段（例えば、図４のモニタロック）を備える。
【００２２】
以下、本発明の実施の形態について図を参照して説明する。
【００２３】
図１は、本発明を適用した、スケーラブルテレビシステム（スケーラブルTVシステム）を設置するためのスタンドの一実施形態に係る構成例を示す図である。
【００２４】
図１において、スタンド１０は、スケーラブルテレビシステム１（以下、スケーラブルTVシステム１と称する）を安定して設置させるための設置部材（または収納部材）である。
【００２５】
スケーラブルTVシステム１は、９つのテレビジョン受像機（テレビジョン受像機２１−１乃至２１−９）により構成されるシステムであり、各テレビジョン受像機が互いに連携して動作したり、個別に動作したりして、単体のテレビジョン受像機よりも高機能を実現するシステムである。以下において、テレビジョン受像機２１−１乃至２１−９を互いに区別して説明する必要の無い場合、テレビジョン受像機２１と称する。
【００２６】
例えば、スケーラブルTVシステム１において、テレビジョン受像機２１のそれぞれは、互いに連携して動作することにより、各画面全体を１つの画面として使用し、１つの画像を表示させたり、一部の画面だけ他の画像を表示させたり、各画面において、互いに異なるチャンネルの放送番組の画像を表示したり、連続画像等のように互いに関連性のある静止画像を表示させたりすることができる。なお、このテレビジョン受像機２１は、それぞれ単体としても動作可能である。また、スケーラブルTVシステム１として連携するテレビジョン受像機２１の数は、９つでなくてもよく、２つ以上であればいくつであってもよい。
【００２７】
スタンド１０は、このようなスケーラブルTVシステム１を構成するテレビジョン受像機２１（モニタ（ディスプレイ））を安定的に設置する（固定する）ための設置部材（モニタ固定装置または固定機構）である。つまり、スタンド１０には、９つのテレビジョン受像機２１を装着する装着部１１−１乃至装着部１１−９が設けられている。装着部１１−１乃至装着部１１−９には、それぞれ、テレビジョン受像機２１が１つずつ装着される。以下において、装着部１１−１乃至装着部１１−９を互いに区別する必要の無い場合、装着部１１と称する。
【００２８】
なお、図１においては、装着部１１−１、装着部１１−４、および装着部１１−７のみが示されており、それ以外の装着部の図示は省略されている。図１においては、９つの装着部１１が３行×３列のマトリクス状に一平面上に配置されている。つまり、最も左上が装着部１１−１で、その装着部１１−１の向かって右隣が装着部１１−２、さらに装着部１１−２の向かって右隣が装着部１１−３、装着部１１−１の下が装着部１１−４、その装着部１１−４の向かって右隣が装着部１１−５、さらに装着部１１−５の向かって右隣が装着部１１−６、装着部１１−４の下が装着部１１−７、その装着部１１−７の向かって右隣が装着部１１−８、さらに装着部１１−８の向かって右隣が装着部１１−９となっている。そして、それらの装着部１１−１乃至装着部１１−９には、それぞれ、順番にテレビジョン受像機２１−１乃至テレビジョン受像機２１−９が設置される。なお、実際には、各テレビジョン受像機２１は、自分自身が設置された場所を把握する機能を有するので、どの装着部１１にどのテレビジョン受像機２１が装着されても構わないが、ここでは、説明の便宜上、図１に示されるような順番で、テレビジョン受像機２１が装着部１１に設置されるものとする。
【００２９】
つまり、スタンド１０は、９つのテレビジョン受像機２１を、一平面上に、３行×３列のマトリクス状に配置し、一番左上がテレビジョン受像機２１−１、そのテレビジョン受像機２１−１の向かって右隣がテレビジョン受像機２１−２、さらにテレビジョン受像機２１−２の向かって右隣がテレビジョン受像機２１−３、テレビジョン受像機２１−１の下がテレビジョン受像機２１−４、そのテレビジョン受像機２１−４の向かって右隣がテレビジョン受像機２１−５、さらにテレビジョン受像機２１−５の向かって右隣がテレビジョン受像機２１−６、テレビジョン受像機２１−４の下がテレビジョン受像機２１−７、そのテレビジョン受像機２１−７の向かって右隣がテレビジョン受像機２１−８、さらにテレビジョン受像機２１−８の向かって右隣がテレビジョン受像機２１−９となるように配置して固定する（設置する）。
【００３０】
なお、後述するように、スタンド１０は、各テレビジョン受像機２１を互いに接続する機能を有しており、このスタンド１０を介して互いに接続されたテレビジョン受像機２１が、スケーラブルTVシステム１として動作する。また、後述するように、装着部１１は、可動式の部材であり、テレビジョン受像機２１の装着や取り外しの際（着脱の際）に、それぞれが互いに独立して前後方にスライドするようになされている。
【００３１】
なお、以下において、スタンド１０の装着部１１が設けられている面、すなわち、テレビジョン受像機２１が設置される面がスタンド１０の正面とする。
【００３２】
スタンド１０の、装着部１１の下の段には、ラック１２−１乃至ラック１２−３が横方向に並べて設けられている。つまり、図１に示されるように、装着部１１−７の下部にラック１２−１が設けられ、装着部１１−８の下部にラック１２−２が設けられ、装着部１１−９の下部にラック１２−３が設けられている。以下において、ラック１２−１乃至ラック１２−３を互いに区別して説明する必要の無い場合、ラック１２と称する。ラック１２は、収納部材であり、内部（または表面）に、スピーカや、図示せぬリモートコントローラに対する赤外線受光部等の、スケーラブルTVシステム１の構成に含まれる、テレビジョン受像機２１以外の機材が収納（設置）される。
【００３３】
また、スタンド１０の最下部、すなわち、ラック１２の下の段はボックス１３−１乃至ボックス１３−３となっている。つまり、図１に示されるように、ラック１２−１の下部にボックス１３−１が設けられ、ラック１２−２の下部にボックス１３−２が設けられ、ラック１２−３の下部にボックス１３−３が設けられている。以下において、ボックス１３−１乃至ボックス１３−３を互いに区別して説明する必要の無い場合、ボックス１３と称する。ボックス１３は、内部の一部または全部が空洞の箱状の筐体であり、その内部に、例えば、電源を外部より取得し、スタンド１０に設置される各テレビジョン受像機２１に分配供給する電源回路や、スタンド１０に設置される各テレビジョン受像機２１をスタンド１０の外部に設けられたテレビジョン放送信号受信用のアンテナに接続する分配器等の電気ユニット等が格納される。
【００３４】
なお、スタンド１０は、例えば、ラック１２やボックス１３に、レコーダ等のスケーラブルTVシステム１以外の装置を設置することができるようにしてもよい。
【００３５】
図２は、図１に示されるスタンド１０を右側面（テレビジョン受像機２１−３、テレビジョン受像機２１−６、テレビジョン受像機２１−９、ラック１２−３、およびボックス１３−３の側）より見た図である。
【００３６】
図２に示されるように、スタンド１０の装着部１１の部分は、ラック１２やボックス１３の部分より薄く、スタンド１０に設置されたテレビジョン受像機２１（図２の場合、テレビジョン受像機２１−３、テレビジョン受像機２１−６、およびテレビジョン受像機２１−９）の前面（画像が表示される面）が、スタンド１０のラック１２やボックス１３の正面と略同一平面上に位置するようになされている。なお、スタンド１０は、このテレビジョン受像機２１の前面がラック１２やボックス１３の正面と異なる平面上に位置するようになされていてもよい。
【００３７】
図１や図２に示されるように、スタンド１０は、９つのテレビジョン受像機２１を略隙間無く（例えば、テレビジョン受像機２１間にユーザの手を挿入できない程度に隙間無く）マトリクス状に並べて設置する。また、このスタンド１０は、テレビジョン受像機２１が、ユーザにより容易に装着したり取り外したりすることができるように（着脱可能なように）なされている。テレビジョン受像機２１の装着時や取り外し時（着脱時）には、その着脱されるテレビジョン受像機２１の側面や背面をユーザが掴みやすいように、図３に示されるように、装着部１１が前方に（正面から垂直に離れる方向に）スライドされる。
【００３８】
図３は、テレビジョン受像機２１−１およびテレビジョン受像機２１−４が装着部１１−１または装着部１１−４より外されている状態のスタンド１０の様子の例を示す図である。図３において、装着部１１−１は、前方にスライドされており、装着部１１−４は、テレビジョン受像機２１が設置されている他の装着部と同様の位置にセットされている。
【００３９】
スタンド１０において、ユーザは、どの装着部１１であっても、装着部１１−１と同様ように、前方にスライドさせた状態でテレビジョン受像機２１を装着したり、取り外したりさせる（着脱させる）。例えば、設置を完了し、その設置したテレビジョン受像機２１をスケーラブルTVシステム１として動作させる場合、ユーザは、装着部１１（に装着されたテレビジョン受像機２１）を押し込み、図３の装着部１１−７（テレビジョン受像機２１−７）のような状態にセットする。また、例えば、装着部１１よりテレビジョン受像機２１を取り外した場合、その装着部１１がそのままの状態だとスタンド１０より飛び出していて邪魔になるので、ユーザは、その装着部１１を押し込み、装着部１１−４のような状態にセットする。
【００４０】
図４および図５は、装着部１１の詳細な構成例を示す斜視図である。図４は、装着部１１−４が前にスライドされた状態を示しており、図５は、装着部１１−４が奥にセットされた状態を示している。図４および図５のいずれの場合も、装着部１１−４には、テレビジョン受像機２１−４は装着されていない。
【００４１】
図４に示されるように、装着部１１−４の前面（テレビジョン受像機２１−４が設置される面）には、テレビジョン受像機２１−４を引っ掛けるためのモニタフック３１、テレビジョン受像機２１−４と電気的に接続される端子群であるコネクタ３２、および、モニタフック３１に引っ掛けられて設置されたテレビジョン受像機２１−４を動かないように固定するモニタロック３３が設けられている。
【００４２】
これらのモニタフック３１、コネクタ３２、およびモニタロック３３の詳細については後述するが、図４に示されるように、装着部１１−４が前方にスライドされている状態のとき、モニタフック３１、コネクタ３２、およびモニタロック３３は、いずれも、装着部１１−４の前面より突き出ている。例えば、モニタフック３１は、装着部１１−４が前方にスライドされると、図４に示されるように、上部が前方に傾くように飛び出し、テレビジョン受像機２１−４に設けられた把持用のパイプを引っ掛けることが出来るようになる。また、例えば、コネクタ３２は、装着部１１−４が前方にスライドされると、図４に示されるように、水平方向を軸として回転し、上側が水平になるまで前方に倒れて飛び出し、端子部分が前方に突き出てくる。これにより、テレビジョン受像機２１−４のパイプがモニタフック３１に引っ掛けられると、テレビジョン受像機２１−４に設けられている、コネクタ３２の端子に対応する端子がコネクタ端子３２の端子部分に合致し、テレビジョン受像機２１−４と装着部１１−４（スタンド１０）が電気的に接続される。さらに、例えば、モニタロック３３は、装着部１１−４が前方にスライドされると、図４に示されるように、鋏状に（中央部分で折れたＶ字となるように）左右端が飛び出し、テレビジョン受像機２１−４の下側を固定するためのフックが飛び出し可能な状態にセットされる。
【００４３】
これらのモニタフック３１、コネクタ３２、およびモニタロック３３は、装着部１１−４が、テレビジョン受像機が装着されていない状態で後方にセットされると、図５に示されるように、装着部１１−４の後方に引っ込み、装着部１１−４の前面が略凹凸の無い平面となるようになされる。つまり、例えば、モニタフック３１は、図４の状態から装着部１１−４が後方にスライドされると、前方に傾いていた上部が後方に回動し、垂直になる。この状態においてモニタフック３１の前面は、装着部１１−４の前面の一部となり、１つの平面を構成するようになされている。また、例えば、コネクタ３２は、図４の状態から装着部１１−４が後方にスライドされると、前方に倒れていた上部が後方に起き上がるように回動し、垂直になる。この状態においてコネクタ３２の前面は、装着部１１−４の前面の一部となり、１つの平面を構成するようになされている。さらに、例えば、モニタロック３３は、図４の状態から装着部１１−４が後方にスライドされると、鋏状に飛び出していた左右端が、鋏が開くように後方に回動する。この状態においてモニタロック３３の前面は、装着部１１−４の前面の一部となり、１つの平面を構成するようになされている。
【００４４】
つまり、これらのモニタフック３１、コネクタ３２、およびモニタロック３３は、図４に示されるように装着部１１−４が前方にスライドされると、前方に飛び出し、それぞれの機能を果たすことの出来る状態にセットされる。逆に、図５に示されるように、テレビジョン受像機を装着せずに装着部１１−４が後方にスライドされると、これらのモニタフック３１、コネクタ３２、およびモニタロック３３は、装着部１１−４内に収納され、装着部１１−４の前面が略１つの平面となるようになされている。
【００４５】
なお、図４および図５においては、装着部１１−４について説明したが、全ての装着部１１は、上述した装着部１１−４と同様の構成を有している。つまり、装着部１１−１乃至装着部１１−９は、それぞれ、上述したようなモニタフック３１、コネクタ３２、およびモニタロック３３が設けられており、これらを用いてテレビジョン受像機２１が装着されるようになされている。
【００４６】
この装着部１１は、スタンド１０に対して、図６に示されるように、複数のアームを組み合わせたパンタグラフ機構によって可動であるように接続される。図６は、装着部１１−１を側面より見た図である。図６において、テレビジョン受像機２１−１は、装着部１１−１に対してモニタパイプ４１を用いて固定される。モニタパイプ４１は、テレビジョン受像機２１の背面（画像が表示される面の反対の面）に設けられた、把持用の部材であり、単体で使用される場合、ユーザはこのモニタパイプ４１を掴んでテレビジョン受像機２１を持ち歩いたり、移動させたりする。このモニタパイプ４１は、テレビジョン受像機２１を装着部１１に固定する際にも用いられる。
【００４７】
後述するように、図６に示される状態において、モニタパイプ４１は、装着部１１−１のモニタフック３１に引っ掛けられている。このとき、装着部１１−１のコネクタ３２の端子部分は、テレビジョン受像機２１−１の端子部分に電気的に接合される。また、図６に示される状態において、装着部１１−１のモニタロック３３は、図４に示されるように飛び出した状態であるものの、まだそのフックは飛び出しておらず、テレビジョン受像機２１−１の下部は固定されていない。
【００４８】
また、この装着部１１−１とスタンド１０本体とは、複数のアームがＸ字に組まれたパンタグラフ機構４２により動作可能に接続されており、装着部１１−１は、スタンド１０本体に対して両矢印４３に示されるように前後方向にスライド可能である。
【００４９】
図７は、スタンド１０に設置されるテレビジョン受像機２１の背面の構成例を説明するための斜視図である。
【００５０】
図７に示されるように、テレビジョン受像機２１の背面には、接合部材を介して、モニタパイプ４１が接続される。モニタパイプ４１の素材は、例えば、ステンレスやアルミ等の金属やプラスチック等、どのようなものであってもよいが、頑丈であり、軽量であり、かつ、コストの低い素材が望ましい。モニタパイプ４１は、筒状の金属（パイプ）が曲げられ、略四角形をなしている。このモニタパイプ４１は、例えば、所定の接合部材に溶接され、その接合部材がテレビジョン受像機２１に螺子止めされる等して固定される。
【００５１】
テレビジョン受像機２１の背面には、電気回路等が収納される収納部５１が設けられており、そこには、テレビジョン受像機２１がテレビジョン受像機として動作するための制御部等の構成が格納されている。また、その一部には外部端子群が設けられるコネクタ部５２が設けられている。このコネクタ部５２の端子には各種信号の入力端子や出力端子が含まれており、さらに、装着部１１側の端子（コネクタ３２の端子）に電気的に接合される端子も含まれる。
【００５２】
なお、図６までにおいて説明したように、テレビジョン受像機２１は、スタンド１０に装着される際に、モニタパイプ４１の上側、すなわち、図７の接合部材５３Ａおよび接合部材５３Ｂの間の部分５４付近がモニタフック３１に引っ掛けられる。また、そのとき、接合部材５５Ａおよび接合部材５５Ｂは、モニタロック３３のフックが引っ掛けられることにより装着部１１に対して固定される。
【００５３】
図８乃至図１１は、テレビジョン受像機２１が設置されている場合とされていない場合の、装着部１１のスライドの様子の例を説明する図である。図８は、テレビジョン受像機２１が装着された装着部１１が前方にスライドされている状態を示す図である。
【００５４】
図８において、装着部１１は、パンタグラフ機構４２を構成する長板状のアーム６１およびアーム６２によりスタンド１０本体（支柱）に接続される。アーム６１およびアーム６２は、互いに、それぞれの中央部で連結部７５により接続されている。アーム６１はアーム６２に対して（アーム６２はアーム６１に対して）この連結部７５を回転軸とする回転方向に回動可能である。また、アーム６１の一方の端は、装着部１１の側面上部と固定端７１により接続され、他方の端は、図示せぬレール上に配置されたインナー６３と固定端７２により接続される。つまり、アーム６１は、装着部１１に対して固定端７１を回転軸とする回転方向に回動可能であるとともに、インナー６３（スタンド１０本体（支柱））に対して固定端７２を回転軸とする回転方向に回動可能である。
【００５５】
同様に、アーム６２の一方の端は、スタンド１０本体（支柱）の装着部１１に対応する部分の側面上部と固定端７３により接続され、他方の端は、図示せぬレール上に配置されたインナー６４と固定端７４により接続される。つまり、アーム６２は、スタンド１０本体（支柱）に対して固定端７３を回転軸とする回転方向に回動可能であるとともに、インナー６４（スタンド１０本体（支柱））に対して固定端７４を回転軸とする回転方向に回動可能である。
【００５６】
インナー６３は、スタンド１０本体の装着部１１に対応する部分の側面の下側に設けられた図示せぬレール部分を、両矢印８４に示されるように、上下に平行移動可能に設置されている。このインナー６３が上下することにより固定端７２と固定端７３との間隔が可変になる。つまり、アーム６１がアーム６２に対して（アーム６２がアーム６１に対して）固定端７５を回転軸として回転する際に、インナー６３がスライドして固定端７２と固定端７３との間隔が広がったり縮まったりする。
【００５７】
インナー６４は、装着部１１の側面の下側に設けられた図示せぬレール部分を、両矢印８３に示されるように、上下に平行移動可能に設置されている。このインナー６４が上下することにより固定端７１と固定端７４との間隔が可変になる。つまり、アーム６１がアーム６２に対して（アーム６２がアーム６１に対して）固定端７５を回転軸として回転する際に、インナー６４がスライドして固定端７１と固定端７４との間隔が広がったり縮まったりする。
【００５８】
アーム６１およびアーム６２がこのように動作することにより、装着部１１とスタンド１０本体（支柱）との距離が広がったり縮まったりする。つまり、装着部１１は、スタンド１０本体に対して、図中左右方向に平行移動（スライド）可能に設置されている。なお、実際には、装着部１１の反対側の側面にも、アーム６１およびアーム６２と同様の２本のアームが接続される。つまり、実際には、装着部１１は、４本のアームでスタンド１０本体に支えられるが、図示せぬ反対側のアームの構成も図８に示されるアーム６１およびアーム６２の構成と同様であるので、その説明を省略する。なお、強度（剛性）を上げるために、一方のアーム６１には、紙面に対して垂直方向を長手方向とし、図示せぬ反対側のアームにまで達する２本のシャフト７６およびシャフト７７が設けられている。
【００５９】
シャフト７６には、シャフト７６の中心軸を回転軸とする回転方向（図中量矢印８５の方向）に回動可能であるように、連結用部品６５が設けられる。つまり、連結用部品６５の一方の端が、シャフト７６に接続される。また、連結用部品６５の反対側の端には、エアシリンダ６６とガススプリング６７の一方の端が回転可能に接続される。エアシリンダ６６およびガススプリング６７は、それらの他方の端がスタンド１０本体（支柱）に接続され、装着部１１を前方に押し出す（スライドさせる）ようにパンタグラフ機構４２に対して作用する。
【００６０】
ガススプリング６７は、窒素等の所定の気体を用いたスプリングであり、ピストン構造を有している。両矢印８６に示されるように、その長手方向（ピストン方向）に伸縮運動を行う。ガススプリング６７は、ピストンが縮められる向きに加えられる外力に対して、伸びる向き（外力に対してピストンを押し戻す向き）に力が働く。つまり、装着部１１が後方に押し込まれると（装着部１１がスタンド１０本体側にスライドされると）、パンタグラフ機構４２のアーム６１およびアーム６２は、図中横方向に開き、連結部材６５は、図中上下方向に立ってくる。すると、ガススプリング６７の両端の間隔が短くなり、ガススプリング６７のピストンは押し込まれる形になる。ガススプリング６７は、このような外力対してピストンを押し戻す（伸ばす）方向に力を加え、結果的に、パンタグラフ機構４２に対して装着部１１を前方に押し戻すように力を加える。
【００６１】
また、エアシリンダ６６は、シリンダ内の空気が外に出たり、シリンダ内に外の空気が入ったりする量を調整することにより、その長手方向（ピストン方向）の伸縮運動の際に反力を生み出す。つまり、エアシリンダ６６とガススプリング６７の組み合わせにより、所望のバネ係数のスプリング機構が得られる。
【００６２】
このようなスプリング機構（エアシリンダ６６とガススプリング６７）により、パンタグラフ機構５２は、通常、装着部１１を前方に押し出す方向に力が加えられている。
【００６３】
図８に示されるように、装着部１１が前方に押し出されている場合、モニタフック３１、コネクタ３２、およびモニタロック３３は、上述したように装着部１１の前面より飛び出している。図８においては、装着部１１にテレビジョン受像機２１が設置されており、モニタフック３１には、テレビジョン受像機２１のモニタパイプ４１が引っ掛けられている。
【００６４】
また、コネクタ３２の端子部は、テレビジョン受像機２１の外部端子に電気的に接続される。なお、コネクタ３２は電気ケーブル９１を介してスタンド１０本体（支柱）側の電気回路９２に電気的に接続される。また、コネクタ３２は、その後部をワイヤ９３によってシャフト７７を介して固定端７３付近より吊設されている。そして、装着部１１が図８に示されるように前方に押し出されると、このワイヤ９３によってコネクタ３２の後部が引っ張られ、コネクタ３２が回転し、前方に飛び出すようになされている。装着部１１が後方に押し込まれると、コネクタ３２と固定端７３との距離が短くなるのでワイヤが緩んで引っ張られなくなるので、コネクタ３２は後述するバネの力によって収納されるように逆方向に回転する。
【００６５】
なお、図８の状態においては、モニタロック４４のフックは飛び出しておらず、テレビジョン受像機２１のモニタパイプ４１の下部はロックされていない。
【００６６】
なお、装着部１１をスタンド１０本体（支柱）に固定するための図示せぬロック機構も用意されている。従って、例えば、図８のような状態から、矢印８１に示されるように、ユーザがテレビジョン受像機２１を所定の位置まで後方に押し込むと、装着部１１は、ガススプリング６７の力により再度前方に押し出されようとするものの、図示せぬロック機構が働き、矢印８２に示されるように短い距離しか前方にスライドせず、図９に示されるように後方において固定される。
【００６７】
図９は、テレビジョン受像機２１が装着された装着部１１が後方にスライドされている状態（図示せぬロック機構により装着部１１がスタンド１０本体（支柱）にロックされている状態）を示す図である。
【００６８】
図９に示されるように、装着部１１が後方に押し込まれると、インナー６３およびインナー６４が下方にスライドし、アーム６１およびアーム６２が横方向に開く。そして、ガススプリング６７やエアシリンダ６６のピストンは縮められる。従って、装着部１１には、前方に押し戻すような力が加えられているものの、図示せぬロック機構により固定されるため、後方に押し込まれた状態で固定される。
【００６９】
この状態において、装着部１１にはテレビジョン受像機２１が装着されているので、モニタフック３１は閉じず、上部が前方に傾いて突き出たままである。この理由（動作）については後述する。
【００７０】
また、コネクタ３２は、その先端部分がテレビジョン受像機２１の端子部分に挿入された状態であるので、装着部１１が後方に押し込まれることによりワイヤ９３が緩んでも、テレビジョン受像機２１の筐体に引っかかって閉じない。つまり、図９に示される状態において、テレビジョン受像機２１は、スタンド１０本体側の電気回路９２と電気的に接続されており、この接続を介して、電源の供給を受けたり、他のテレビジョン受像機２１と連携し、スケーラブルTVシステム１として動作したりする。
【００７１】
装着部１１が図９に示されるように後方に押し込まれると、モニタロック３３よりフックが飛び出し、テレビジョン受像機２１のモニタパイプ４１の接合部材５５Ａおよび接合部材５５Ｂ（図７）を引っ掛けて、テレビジョン受像機２１の下部を固定する（ロックする）。つまり、装着部１１に装着されたテレビジョン受像機２１は、図９の状態において、モニタフック３１とモニタロック３３によりどの方向にも動かないように固定される。これにより、スタンド１０は、テレビジョン受像機２１を安定的に設置することができる。
【００７２】
なお、図９に示される状態から、矢印１０１に示されるように、再度装着部１１を後方に押し込むと、図示せぬロック機構が解除され、矢印１０２に示されるように、装着部１１が前方にスライドされる（図８に示される状態になる）。
【００７３】
図１０は、図８の状態において、装着部１１からテレビジョン受像機２１を取り外した状態を示す図である。図１０に示されるように、図８に示される状態においてテレビジョン受像機２１を装着部１１より取り外しても、モニタフック３１、コネクタ３２、およびモニタロック３３は装着部１１の前面より飛び出したままの状態となる。
【００７４】
この図１０の状態から装着部１１を後方に押し込むと、図９の場合と同様にロック機構が働き、装着部１１は、図１１に示されるように、後方に固定される。ただし、この場合、上述したように、モニタフック３１、コネクタ３２、およびモニタロック３３は、装着部１１内に収納され、装着部１１の前面は１つの平面となる。
【００７５】
次に、各部の詳細について説明する。最初に、モニタフック３１について説明する。図１２は、モニタフック３１の詳細な構成例を示す斜視図である。
【００７６】
図１２に示されるように、モニタフック３１は、上述したように上部から開閉する可動部分であるフック１１１−１およびフック１１１−２を有する。このフック１１１−１およびフック１１１−２は、下部のほうで互いに接続されているが、上部においては図１２に示されるように２つ（フック１１１−１およびフック１１１−２）に分離されている。以下において、フック１１１−１とフック１１１−２を互いに区別する必要の無い場合、フック１１１と称する。
【００７７】
フック１１１には、フック１１１（モニタフック３１）が閉じた際に装着部１１の前面の一部となる前面パネル１１２が設けられている。この前面パネル１１２の裏面（モニタフック３１が閉じた際に装着部１１の前面の一部となる面の裏となる面。図中手前側の面）において、フック１１１は、モニタパイプ４１がセットされるようになされており、そのセットされたモニタパイプ４１が接触する部分は、装着されたディスプレイ装置２１が安定するように、セットされたモニタパイプ４１の外形に合うような曲率で湾曲されている。
【００７８】
また、前面パネル１１２の裏面の、フック１１１の左右両側には、（フック１１１を挟むように）フック補助部１１３−１およびフック補助部１１３−２が設けられている。フック補助部１１３−１およびフック１１３−２は、フック１１１に引っ掛けられたモニタパイプ４１を支える補助部材である。フック補助部１１３−１の曲面１１３−１−Ａ、およびフック補助部１１３−２の曲面１１３−２−Ａは、セットされたモニタパイプ４１が接触する部分であり、装着されたディスプレイ装置２１が安定するように、セットされたモニタパイプ４１の外形に合うような曲率で湾曲されている。
【００７９】
また、フック１１１−１とフック１１１−２の間の、モニタパイプ４１を支える部分には、フック部１１２とフック部１１３の間には、モニタパイプ４１がセットされる部分であり、セットされたモニタパイプ４１をさらに安定するようにモニタパイプの略上側から押さえつけるように固定し、さらに、モニタパイプ４１がセットされている（テレビジョン受像機２１が装着部１１に引っ掛けられている）ことを検出する部材であるチャック１１４が設けられている。
【００８０】
チャック１１４は、軸部１１４Ａによってフック１１１−１に軸の中心（点線１１５）を回転軸とする回転方向に（両矢印１１６のように）所定の範囲の角度で回動可能なように接続されている。また、チャック１１４は、軸部１１４Ａと同様の図示せぬ軸部（以下においては、こちらの軸部も含めて軸部１１４Ａと称する）によってフック１１１−２に軸の中心（点線１１５）を回転軸とする回転方向に（両矢印１１６のように）所定の範囲の角度で回動可能なように接続されている。つまり、チャック１１４は、軸部１１４Ａの中心を回転軸とする揺りかごのように可動である。このチャック１１４は、図１２において、軸部１１４Ａより奥側の部分１１４Ｂと、軸部１１４Ａより手前側の部分１１４Ｃとをそれぞれ用いて互いに異なる２つの機能を有する。
【００８１】
例えば、部分１１４Ｂは、図１２に示されるように、軸部１１４Ａより奥に向かって平面状に競りあがっているため、モニタパイプ４１が接触する部分において、この部分１１４Ｂの箇所だけ、曲面１１３−１−Ａおよび曲面１１３−２−Ａ等の曲率と異なり浮き上がっている。従って、チャック１１４がその状態のときにモニタパイプ４１がモニタフック３１に引っ掛けられると（装着されると）、モニタパイプ４１がこの部分１１４Ｂを押し下げるので、チャック１１４が軸部１１４Ａの中心を軸に回転する。
【００８２】
チャック１１４の下部には、平行ピン１１７を介して案内部１１９が接続される。案内部１１９は、平行ピン１１７を回転軸としてチャック１１４に対して回転可能に接続されている。案内部１１９は、側面から見て卵型の形状をしており、曲率が大きい側（尖った側）の部分がフック１１１−２に接するようになされている。チャック１１４が上述したように回転すると、平行ピン１１７を介して接続される案内部１１９も両矢印１１８のように移動する。このとき、案内部１１９の曲率が大きい側（尖った側）の部分は、フック１１１−２の曲面に沿って移動するため、案内部１１９はその移動とともに平行ピン１１７を軸に回転する。
【００８３】
案内部１１９は、リンク１２０に固定的に接続されており、そのリンク１２０は、平行ピン１２１を介してリンク１２２に接続される。リンク１２２はリンク１２０に対して（リンク１２０はリンク１２１に対して）平行ピン１２１を軸として回転方向に回動可能である。さらにリンク１２２は、平行ピン１２３を介してリンク１２４に接続されている。リンク１２４の一方の端は、回転軸１２５により、フック１１１−２に回転可能に接続されている。リンク１２２は、平行ピン１２３を介してリンク１２４の略中央部分に接続される。
【００８４】
このリンク１２４は、後述するシャフトに設けられたピンを引っ掛けたり離したりする部材である。つまり、上述したように、チャック１１４が回転すると、その動きが、平行ピン１１７、案内部１１９、リンク１２０、平行ピン１２１、リンク１２２、および平行ピン１２３を介してリンク１２４に伝えられる。これにより、リンク１２４は、回転軸１２５の中心を回転軸として両矢印１２６に示されるように他方の端が上下する。
【００８５】
つまり、換言すると、チャック１１４の部分１１４Ｂは、モニタパイプ４１がセットされたことを検出する。そして、平行ピン１１７、案内部１１９、リンク１２０、平行ピン１２１、リンク１２２、および平行ピン１２３等が、この検出結果をリンク１２４に通知する。リンク１２４は、その通知された検出結果に基づいて、後述するシャフトに設けられたピンを引っ掛けたり離したりすることにより、フック１１１（モニタフック３１）の開閉を制御する。
【００８６】
また、チャック１１４の軸部１１４Ａより手前側の部分１１４Ｃは、フック１１１にモニタパイプ４１がセットされると、上述したようにチャック１１４全体が回転し、セットされたモニタパイプ４１を略上側から押さえつけるように固定する。このようにすることにより、装着部１１に装着されたテレビジョン受像機２１は、より安定して固定される。
【００８７】
さらに、部分１１４Ｃは、セットされたモニタパイプ４１がユーザなどにより取り外される場合に、その取り外されるモニタパイプ４１によって開くように（図１２において手前側に）押し出される。これによりチャック１１４全体が軸部１１４Ａを回転軸として回転し、押し込まれていた部分１１４Ｂが引き上げられ、また、モニタパイプ４１の装着を検出可能な位置に戻す。つまり、部分１１４Ｃは、セットされたモニタパイプ４１の取り外しを検出し、さらに、チャック１１４の状態をリセットし、モニタパイプ４１の装着を検出する検出部（部分１１４Ｂ）の状態を初期値（モニタパイプ４１の装着を検出可能な位置）に戻す。なお、このチャック１１４の動きにより、引き上げられていたリンク１２４は、下側に押し下げられる。
【００８８】
モニタフック３１の開閉する可動部分であるフック１１１は、平行ピン１３２の中心（点線１３３Ａおよび点線１３３Ｂ）を回転軸とする回転方向に所定の範囲の角度で回転可能ように、フック支持支柱１３１と接続されている。フック支持支柱１３１には、フック１１１が開くことができるように、前面パネル１１２の下部が入り込むための溝１３３が設けられている。フック１１１は、開いたとき、この前面パネル１１２の下部が溝１３３の内側の面に接触してとまる。また、フック支持支柱１３１には、フック１１１が閉じたときの位置を決定する位置決定部１３４が設けられており、フック１１１は、閉じたとき、その一部がこの位置決定部１３４に接触することにより、停止する。
【００８９】
図１３は、図１２と異なる角度より見た場合のモニタフック３１の斜視図である。
【００９０】
図１３に示されるように、フック１１１の下部には、ピン１４２Ａおよびピン１４２Ｂが設けられており、フック支持支柱１３１には、板バネ１４１Ａおよび板バネ１４１Ｂが設けられている。この板バネ１４１Ａおよび板バネ１４１Ｂは、それぞれ、ピン１４２Ａおよび１４２Ｂに接触するように構成されている。また、板バネ１４１Ａおよび板バネ１４１Ｂは、そのピン１４２Ａおよび１４２Ｂに接触する部分が、ピン１４２Ａおよび１４２Ｂに対して山形（凸状）に湾曲している。この湾曲形状により、フック１１１がフック支持支柱１３１に対して最も開いた状態か、または最も閉じた状態で安定するようになされている。
【００９１】
つまり、上述したように、フック１１１は、フック支持支柱１３１に対して平行ピン１３２の中心を軸として回転し、開いたり（モニタパイプ４１がかけられる状態）、閉じたり（前面パネル１１２が装着部１１の前面と同一面を形成する状態）するが、上述した板バネ１４１Ａおよび板バネ１４１Ｂや、ピン１４２Ａおよび１４２Ｂの構成により、最も開いた状態か、または最も閉じた状態でのみ安定する。例えば、途中の状態（フック１１４がフック支持支柱１３１に対して中途半端に開いた状態）においては、上述した板バネやピンの構成により、さらにフック１１１が開くようにフック１１１に対して力を加えるか、若しくは、フック１１１を閉じるようにフック１１１に対して力を加える。
【００９２】
図１４は、図１２のリンク１２４の構成例を示す図である。リンク１２４は、その下面に、アーム６１やアーム６２等に設けられた横方向のシャフト１５１のピン１５２に対する案内溝が形成されている。
【００９３】
シャフト１５１は、アーム６１やアーム６２等に固定されており、装着部１１が前後にスライドされると、パンタグラフ機構４２を形成するアーム６１やアーム６２が連結部７５を軸として互いに対して回転するのに合わせて、モニタフック３１に対する位置を変化させる。図８と図９、または図１０と図１１を比較して明らかなように、モニタフック３１と、アーム６１またはアーム６２に固定的に設けられたシャフト１５１との距離は、装着部１１の位置により（装着部１１を前後方向にスライドさせることにより）変化する。
【００９４】
このシャフト１５１のモニタフック３１に対する動きに合わせて、シャフト１５１に固定的に設けられたピン１５２も、モニタフック３１に対して動揺に移動する。リンク１２４の下面には、このように移動するピン１５２の動きを追うことができるように案内溝が形成されている。また、その案内溝の両端は、ピン１５２によってリンク１２４が引っ張られたり押し込まれたりするようにフック部１２４Ａおよびフック部１２４Ｂが設けられている。
【００９５】
詳細については、後述するが、例えば、ピン１５２によりリンク１２４のフック部１２４Ａが引っ張られると、そのリンク１２４の動きが回転軸１２５を介してフック１１１に伝えられ、開いていたフック１１１が内側に引っ張られて閉じる。
【００９６】
また、例えば、ピン１５２によりリンク１２４のフック部１２４Ｂが押し込まれると、そのリンク１２４の動きが回転軸１２５を介してフック１１１に伝えられ、閉じていたフック１１１が外側に押し出されて開く。
【００９７】
次に、以上のような構成のモニタフック３１の動作について説明する。最初にフック１１１が閉じられている状態から開くまでを説明する。例えば、装着部１１にテレビジョン受像機２１が装着されていない状態において、装着部１１が後方に押し込まれて固定されている場合、フック１１１は閉じられている。図１５は、そのときのモニタフック３１の様子を側面より見た透視図である。
【００９８】
図１５に示されるように、装着部１１が後方に押し込まれている場合、フック１１１は、フック支持支柱１３１に対して直立しており（閉じており）、さらに、上述したシャフト１５１（ピン１５２）は、フック支持支柱１３１に近接される（シャフト１５１の可動範囲内において近い方に位置する）。
【００９９】
この状態から、例えば、ユーザが１度装着部１１を押し込んでロックを解除した後、手を離すと、ガススプリング６７の力により装着部１１は、矢印１７０に示されるように前方に押し出される。この装着部１１のスライド移動に応じて、シャフト１５１は、矢印１７２に示されるようにフック支持支柱１３１より離れる方向に移動する。具体的には、シャフト１５１は、図１５に示される黒丸１７１を中心とした回転方向に移動する。従って、ピン１５２も同様に、黒丸１７１を中心とした回転方向に移動する。つまり、ピン１５２は、矢印１７３に示されるように、リンク１２４の平行な案内部１２４Ｃに沿ってフック部１２４Ａに向かって移動する。つまり、リンク１２４のフック部１２４Ａ側は、ピン１５２により、その移動に合わせて持ち上げられていく。なお、黒丸１７１は説明の便宜上設けた点であり、実際には存在しない。
【０１００】
図１６は、装着部１１が図１５の状態から前方に移動したときのモニタフック３１の様子を側面より見た透視図である。
【０１０１】
図１６において、シャフト１５１およびピン１５２は、図１５の場合よりも、フック支持支柱１３１より離れている。従って、ピン１５２は、図１５の場合よりも、フック部１２４Ａに近づいている。この図１６の状態から、装着部１１はさらに前方にスライドする（矢印１７０）。それにより、シャフト１５１およびピン１５２は、モニタフック３１に対して黒丸１７１を中心とする回転方向に移動を続ける（矢印１７２および矢印１７３）。
【０１０２】
図１７は、装着部１１が図１６の状態からさらに前方に移動したときのモニタフック３１の様子を側面より見た透視図である。
【０１０３】
図１７において、シャフト１５１およびピン１５２は、図１６の場合よりも、さらにフック支持支柱１３１より離れている。ピン１５２はフック部１２４Ａに到達し、さらに矢印１７３の方向に移動するため、フック部１２４Ａを引っ張り始める。このピン１２５の引張りにより、リンク１２４は、矢印１８１に示される方向に引っ張られる。これにより、フック１１１の下部の回転軸１２５が引っ張られ、フック１１１の下部がフック支持支柱１３１に対して平行ピン１３２の中心を回転軸として矢印１８２に示されるように回転する。すなわち、フック１１１の上部は矢印１８３に示されるように、平行ピン１３２の中心を回転軸として前方に傾くように回転する（フック１１１が開き始める）。これに伴い、チャック１１４も矢印１８４に示されるように前方に傾き始める。
【０１０４】
図１８は、装着部１１が前方に移動し安定したときのモニタフック３１の様子を側面より見た透視図である。装着部１１がスライド可能範囲内において最前方まで移動されると、シャフト１５１やピン１５２のフック支持支柱１３１に対する動きは停止する。つまり、フック部１２４Ａは、これ以上引っ張られない。
【０１０５】
このようにリンク１２４がピン１５２によって引っ張られ、ある程度までフック１１１が開くと、上述した板バネ１４１Ａおよび板バネ１４１Ｂ、並びに、ピン１４２Ａおよびピン１４２Ｂによって、フック１１１に矢印１８３に示される方向に力が加えられ、フック１１１は全開状態まで開かれて停止する。
【０１０６】
次に、テレビジョン受像機２１がセットされていない状態で、装着部１１を後方に押し戻す場合のモニタフック３１の各部の動作の例について説明する。
【０１０７】
図１９は、装着部１１が図１８の状態から後方に移動したときのモニタフック３１の様子を側面より見た透視図である。
【０１０８】
図１９に示されるように、例えば、ユーザにより装着部１１が、矢印１９０に示されるように、後方に押し込まれると、シャフト１５１は、図１５乃至図１８までの動作による軌跡を辿るように、黒丸１７１の中心を回転軸として円運動を行い、フック支持支柱１３１に対して近づいていく。これに合わせてピン１５２も矢印１９２に示されるように、図１５乃至図１８までの動作による軌跡を辿るように、黒丸１７１の中心を回転軸として円運動を行い、フック支持支柱１３１に対して近づいていく。
【０１０９】
このとき、リンク１２４は、吊り上げられていないので、ピン１５２が下方に移動するのに合わせてフック部１２４Ａ側が下がっていく。
【０１１０】
図２０は、装着部１１が図１９の状態からさらに後方に移動したときのモニタフック３１の様子を側面より見た透視図である。
【０１１１】
図２０に示されるように、装着部１１が矢印１９０のようにさらに後方に移動すると、ピン１５２が矢印１９３のように黒丸１７１の中心を回転軸として円運動を行い、フック部１２４Ｂに到達する。そして、さらにシャフト１５１が矢印１９１のように移動すると、ピン１５２も矢印１９２のように移動し、フック部１２４Ｂを押し込む。これにより、リンク１２４を介してフック１１１の下部（回転軸１２５）が押し込まれ、矢印２０１に示されるように、前方に押し出される。つまり、フック１１１は、平行ピン１３２の中心を軸として回転し、フック１１１の上部は、矢印２０２に示されるように後方に押し込まれる。つまり、ピン１５２によるフック部１２４Ｂの押し込みによりフック１１１はフック支持支柱１３１に対して閉じていく（直立していく）。
【０１１２】
図２１は、装着部１１が後方に移動し、図示せぬロック機構等により固定されたときのモニタフック３１の様子を側面より見た透視図である。装着部１１がスライド可能範囲の後方のロック位置に移動されると、シャフト１５１やピン１５２のフック支持支柱１３１に対する動きは停止する。つまり、フック部１２４Ｂはこれ以上押し込まれない。
【０１１３】
このようにリンク１２４がピン１５２によって押し込まれ、ある程度までフック１１１が閉じると、上述した板バネ１４１Ａおよび板バネ１４１Ｂ、並びに、ピン１４２Ａおよびピン１４２Ｂによって、フック１１１に矢印１８３に示される方向に力が加えられ、フック１１１は全閉状態まで閉じて停止する（直立する）。
【０１１４】
このようにテレビジョン受像機２１が装着されていない状態で、装着部１１が後方に押し込まれると、リンク１２４がピン１５２によって押されるので、例えば、図５を参照して説明したようにモニタフック３１は閉じた状態となり、装着部１１の前面のモニタフック３１による凹凸が無くなる。
【０１１５】
テレビジョン受像機２１は、必ず、装着部１１を前方にスライドさせた状態で装着したり取り外したりされる。つまり、装着部１１が押し込まれている状態においては、テレビジョン受像機２１をモニタフック３１に引っ掛けることはないので、モニタフック３１は不要である。逆に、モニタフック３１が飛び出したままで不要に凹凸があると、視覚的に好ましくないだけでなく、例えば、他の物体がその凸部にぶつかってモニタフック３１が故障する恐れもある。また、ユーザがその凸部に手や体をぶつけたり引っ掛けたりしてけがをする恐れもある。従って、上述したように不要な状態においてモニタフック３１が装着部１１内に収納されるようにすることにより、スタンド１０のデザイン、耐久性、および安全性等を向上させることができる。
【０１１６】
換言すると、装着部１１が前方にスライドされた状態、すなわち、モニタフック３１にテレビジョン受像機２１を引っ掛ける場合には、ユーザは、装着部１１を一端押してロックを解除し、前方にスライドさせるだけで、モニタフック３１を前方に飛び出させ、フックとして使用可能な状態にすることができる。つまり、ユーザがスタンド１０に設置されたテレビジョン受像機２１（モニタ）を容易に装着したり取り外したりすることができる。
【０１１７】
なお、この構成は、全ての装着部１１に適応される。従って、ユーザは、スタンド１０に設置された任意のテレビジョン受像機２１（モニタ）を容易に装着したり取り外したりすることができる。換言すると、スタンド１０は、ユーザが、設置された任意のテレビジョン受像機２１（モニタ）を容易に装着したり取り外したりすることができるように、複数のテレビジョン受像機２１（モニタ）を設置することができる。
【０１１８】
次に、このようなモニタフック３１にテレビジョン受像機２１のモニタパイプ４１を引っ掛ける場合について説明する。テレビジョン受像機２１は、例えば図１８に示されるように、装着部１１が前方にスライドされた状態（前方で安定した状態）において装着される。図２２は、そのように前方にスライドされた装着部１１のモニタフック３１にモニタパイプ４１がセットされる様子の例を説明するための、モニタフック３１の様子を側面より見た透視図である。
【０１１９】
図２２に示されるように、フック１１１の上部にモニタパイプ４１が矢印２１１のようにセットされると、チャック１１４の部分１１４Ｂが押し込まれて、チャック１１４全体が軸１１５を回転軸として回転し、部分１１４Ｃが矢印２１２のようにセットされたモニタパイプ４１を略上方から覆い被さるように固定する。
【０１２０】
図２３は、図２２に示される状態から、さらにモニタパイプ４１がより安定する位置にセットされた場合の、モニタフック３１の様子を側面より見た透視図である。
【０１２１】
図２３において、モニタパイプ４１がフック１１１にしっかりとセットされることにより、チャック１１４の部分１１４Ｂがさらに押し込まれ、部分１１４Ｃがモニタフック４１を略上方から押し込むように固定する。つまり、チャック１１４は、部分１１４Ｂがセットされたモニタパイプ４１の存在を検出し、部分１１４Ｃがその検出されたモニタパイプ４１を略上方から固定する。これによりモニタパイプ４１は、より安定して固定される。つまり、装着部１１は、テレビジョン受像機２１のぐらつき等を抑え、より安定して固定することができる。
【０１２２】
そして、上述したようなチャック１１４の回転動作（モニタパイプ４１の検出結果）は、平行ピン１１７、案内部１１９、リンク１２０、平行ピン１２１、リンク１２２、平行ピン１２３を介してリンク１２４に伝えられる（伝送される）。つまり、チャック１１４が回転することにより、平行ピン１１７が持ち上げられ、結果的に、リンク１２４が回転軸１２５を軸とする回転方向の上向きに持ち上げられる。つまりリンク１２４のフック部１２４Ａ側の端は、矢印２１５のように持ち上げられ、それまでピン１５２に接していた案内部１２４Ｃは、ピン１５２より離れる。このとき、リンク１２４のフック部１２４Ｂの位置も高くなる。
【０１２３】
この状態において、図１９の場合と同様に、装着部１１が後方にスライドされると（矢印１９０）、シャフト１５１は、黒丸１７１を軸とした回転運動を開始し、矢印１９１のようにフック支持支柱１３１に近づく。このとき、ピン１５２もシャフト１５１と同様に黒丸１７１を軸とした回転運動を開始する（矢印１９２）。
【０１２４】
図２４は、図２３の状態から、装着部１１がさらに後方にスライドされたときの、モニタフック３１の様子を側面より見た透視図である。
【０１２５】
図２４に示される状態においても、図１９に示される場合と同様に、装着部１１が矢印１９０のようにスライドされると、シャフト１５１は矢印１９１のように、ピン１５２は矢印１９２のように移動する。ただし、図２４の場合、リンク１２４は、平行ピン１１７乃至平行ピン１２３の構成により、チャック１１４によって吊り上げられているので、ピン１５２が矢印１９２に示されるように下側に移動しても、その動きに連動して下に下がらずに、ピン１５２から離れたままとなる。
【０１２６】
図２５は、図２４の状態から、装着部１１がさらに後方にスライドされたときの、モニタフック３１の様子を側面より見た透視図である。
【０１２７】
図２５に示されるように、装着部１１が矢印１９０のようにさらにスライドされると、シャフト１５１は矢印１９１のように、ピン１５２は矢印１９２のように、さらに移動する。この状態においてもリンク１２４は、ピン１５２に対して浮いている（離れている）。つまり、ピン１５２は、リンク１２４のフック部１２４Ｂに引っかからずに、フック部１２４Ｂの下側を通過し、フック支持支柱１３１に近づいていく。従って、リンク１２４やフック１１１の下側は押し込まれない。従って、フック１１１は平行ピン１３２を軸とした回転運動を行わず、開いたままとなる（閉じない）。
【０１２８】
図２６は、図２５の状態からさらに装着部１１が後方に押し込まれ、図示せぬロック機構によりスタンド１０本体に固定されたときのモニタフック３１の様子を側面より見た透視図である。
【０１２９】
図２６に示されるように、ピン１５２は、リンク１２４のフック部１２４Ｂを押しておらず、モニタパイプ４１がセットされたフック１１１は、装着部１１が後方に固定されても開いたままとなる。つまり、モニタフック３１は、モニタパイプ４１がセットされている場合（テレビジョン受像機２１が装着部１１にセットされている場合）、フック１１１が閉じようとしないので、モニタパイプ４１に不要な負荷をかけたり、モニタパイプ４１を破損したりすることを抑制することができる。つまり、モニタフック３１は、装着部１１の前後方向のスライド動作に応じて、開く必要がある場合にのみ開き、閉じる必要がある場合にのみ閉じることができる。
【０１３０】
なお、例えば、モニタフックを単純に装着部１１の動作に応じて開閉させることは、例えば、ワイヤ、ゴム、またはバネ等を用いて引っ張ったり、押したりすることにより実現可能であるが、上述したように、開く必要がある場合にのみ開き、閉じる必要がある場合にのみ閉じる等して、モニタパイプ４１に不要な負荷をかけたり、モニタパイプ４１を破損したりすることを抑制することは困難である。仮に実現できたとしてもバネやワイヤなどを使用するため、耐久性の向上を望むことは困難である。しかしながら、現実には、モニタフック３１には、モニタパイプ４１、すなわちテレビジョン受像機２１が引っ掛けられる等、大きな負担がかけられるため、耐久性の向上が重要な要素となる。
【０１３１】
仮に、上述したようにワイヤやバネ等を用いて耐久性を向上させるようにしたとしても、その構成は複雑になるだけでなく、その構成の複雑さによりスタンド１０の規模が必要以上に大きくなる恐れもある。その場合、スタンド１０の製造コストが増大してしまう恐れがあるだけでなく、スタンド１０が複数のテレビジョン受像機２１を近接させて配置させることができなくなる恐れもある。
【０１３２】
これに対して、上述したモニタフック３１は、単純な構造でモニタパイプ４１を検出し、その検出結果によって、フック１１１の開閉を制御するので、製造コストを低減させ、装置規模を縮小し、耐久性を向上させたフック機構を実現する。
【０１３３】
このような省スペースに設置可能なモニタフック３１を用いることにより、スタンド１０は、上述したような装着部１１を実現することができ、ユーザが、設置された任意のテレビジョン受像機２１（モニタ）を容易に装着したり取り外したりすることができるように、複数のテレビジョン受像機２１（モニタ）を設置することができる。
【０１３４】
次に、図４に示されるコネクタ３２の構造について説明する。
【０１３５】
図２７は、コネクタ３２の構成例を説明する図である。図２７は、コネクタ３２が開いた状態の時に、スタンド１０の上側から見た場合の図である。
【０１３６】
図２７において、コネクタ３２の下側には、コネクタ３２が装着部１１に対して閉じたときに装着部１１の前面の一部を構成するようになる前面パネル２３１が設けられている。前面パネル２３１には、板状の端子部２３２が重ねられている。前面パネル２３１と端子部２３２は、それらの左右両端において支柱２３３と支柱２３４により装着部１１に固定されている。ただし、前面パネル２３１および端子部２３２は、軸部２３５Ａおよび軸部２３５Ｂにより、点線２５１を中心とする回転方向に、両矢印２５２に示されるように、回転可能に結合されている。つまり、前面パネル２３１および端子部２３２は、この軸部２３５Ａおよび軸部２３５Ｂを軸として回転し、装着部１１に対して閉じたり開いたりする。
【０１３７】
なお、支柱２３４内の軸部２３５Ａには、点線２５１を中心とする回転方向（両矢印２５２に示される方向）に負荷をかける巻き取りバネ２３６が設けられている。この巻き取りバネ２３６により、前面パネル２３１および端子部２３２には、閉じる方向に力が加えられている。
【０１３８】
また、端子部２３２の左右両端にはガイド部２３７およびガイド部２３８が設けられている。このガイド部２３７およびガイド部２３８は、それぞれ、接続部２３９および接続部２４０を介して設置される。この接続部２３９および接続部２４０は、それぞれ、ガイド部２３７およびガイド部２３８を、端子部２３２に対して所定の自由度を持たせて、端子部２３２に設置する。つまり、ガイド部２３７およびガイド部２３８は、端子部２３２に対して、所定の角度だけ上下左右方向に可動範囲を有する。これは、例えば、斜め方向よりテレビジョン受像機２１の端子部が接近した場合等に、より容易かつ確実にその端子部を端子部２３２にガイドすることができるようにするためのものである。
【０１３９】
つまり、例えば、端子部２３２に対して若干位置がずれるようにテレビジョン受像機２１が装着部１１に接続された場合、端子部２３２とテレビジョン受像機２１の端子部の位置がずれてしっかりと接続されない恐れがあるが、ガイド部２３７およびガイド部２３８が上述したように自由度を有しており、端子部２３２に対して曲がることができるようにされていれば、例えば、テレビジョン受像機２１がずれて装着されても、ある程度の範囲内であれば、ガイド部２３７およびガイド部２３８は、テレビジョン受像機２１側の、ガイド部２３７およびガイド部２３８に対応する部分を容易に検出し、テレビジョン受像機２１を最適な位置に案内することができる。これにより、ユーザは、端子部２３２を、より容易に確実にテレビジョン受像機側の端子部と接続することができる。
【０１４０】
端子部２３２の後方には、図８を参照して説明した電気ケーブル９１が接続される接続部２４１が設けられている。また、前面パネル２３１の後方には、図８を参照して説明したワイヤ９３の一方の端が固定される固定部２４２が設けられている。前面パネル２３１は、この固定部２４２に結び付けられたワイヤ９３が引っ張られることにより回転し、装着部１１に対して開く。このとき、巻き取りバネ２３６により、閉じる方向に力が加えられるので、装着部１１が後方にスライドされワイヤ９３が緩むと前面パネル２３１および端子部２３２は、装着部１１に対して閉じる。ただし、装着部１１にテレビジョン受像機２１が装着されている場合、端子部２３２やガイド部２３７およびガイド部２３８は、テレビジョン受像機２１内に挿入されているため、テレビジョン受像機２１に引っかかって閉じない。
【０１４１】
図２８は、図２７のコネクタ３２を、スタンド１０の背面側より見た場合の透視図である。なお、説明に不要な部分は省略されている。図２８に示されるように、前面パネル２３１と端子部２３２は、支柱２３３および支柱２３４により装着部１１より浮いた状態で設置される。つまり、前面パネル２３１と端子部２３２の下側に、前面パネル２３１と端子部２３２が回転したときに装着部１１に接触しないように所定のスペースが確保されている。上述したように、前面パネル２３１と端子部２３２は、点線２５１を軸とする回転方向に回転可能とされる。
【０１４２】
図２９は、図２７のコネクタをスタンド１０の側面側より見た場合の透視図である。なお、説明に不要な部分は省略されている。図２９に示されるように、前面パネル２３１の固定部２４２に結び付けられたワイヤ２６１が矢印２６２に示されるように引っ張られると、前面パネル２３１等は、軸２３５Ａを回転軸として回転して開く、これにより、巻き取りバネ２３６の両端が回転方向に閉じられるので、矢印２６３に示されるように、巻き取りバネ２３６は、前面パネル２３１等に、その両端が回転方向に開くように力を加える。このように、前面パネル２３等は、両矢印２６４に示されるように、装着部１１の前後方向のスライドに応じて、軸２３５Ａを回転軸として回転動作する。
【０１４３】
コネクタ３２は、テレビジョン受像機２１を支えたりしないので、強度な耐久性を確保する必要はない。従って、コネクタ３２は、このようにワイヤや巻き取りバネによって回転動作するように構成されている。つまり、コネクタ３２は、モニタフック３１よりも単純な構造により、装着部１１の前後方向のスライドに応じた開閉動作を実現することができ、モニタフック３１の場合と同様の理由で、スタンドのデザイン性、耐久性、および安全性を向上させることが出来る。
【０１４４】
以上に説明したコネクタ３２の端子部が電気ケーブル９１により電気回路９２に電気的に接続されるの。この電気回路９２は、図３０に示されるように、電気ケーブル２７１によってスタンド１０の下側のラック１２やボックス１３等に収納または格納される電気系統（例えば電源回路や通信回路等）に接続され、さらにその電気的な構成を介して、他の装着部１１とも電気的に接続される。
【０１４５】
次に、図４のモニタロック３３について説明する。
【０１４６】
図３１は、モニタロック３３に関する説明をするための、スタンド１０を上方から見た透視図である。モニタロック３３に関する説明に不要な構成は省略されている。モニタロック３３は、前後方向に可動な装着部１１に設けられており、モニタフック３１にモニタパイプ４１が引っ掛けられてセットされたテレビジョン受像機２１の下側を左右および前後方向に固定する部材である。
【０１４７】
より具体的には、モニタロック３３は、後述する２枚のフックを有しており、そのフックが内側から外側に向かって開くように飛び出して、テレビジョン受像機２１の下側のモニタパイプ４１とテレビジョン受像機２１の背面とを接合する接合部材５５Ａおよび５５Ｂに横方向に引っ掛ける。
【０１４８】
また、装着部１１の後方のスタンド１０本体（支柱）には、フック３１１、フック３１２、ばね支え３１３、ガイドブロック３１４、およびガイドブロック３１５等、モニタロック３３の動作を補助する部材が設けられている。
【０１４９】
フック３１１およびフック３１２は、モニタロック３３が前方に移動する際に、モニタロック３３に設けられるつば（後述する）を引っ掛けて、モニタロック３３を鋏状に開かせる（飛び出させる）ように作用する。ばね支え３１３は、モニタロック３３が後方に移動する際に、ばねで当たりを緩衝させながら、つばを押し戻し、鋏状に開いたモニタロック３３を元の状態に戻す（閉じさせる）。ガイドブロック３１４およびガイドブロック３１５は、モニタロック３３が後方に移動する際に、モニタロック３３に設けられるカムフォロア（後述する）の軌道を制御することにより、モニタロック３３に設けられるフック（後述する）を開かせる。
【０１５０】
図３２は、モニタロック３３の構成例を説明するための、モニタロック３３を下側後方から見た場合の斜視図である。図３２において、モニタロック３３は、左ベース板３２１、右ベース板３２２、つば３２３、つば３２４、および中央ベース板３２５が平行ピン３３１により、平行ピン３３１を軸として互いに回転可能に接続されている。なお、図３２は、モニタロック３３を下から見た図であり、実際には上下裏返しに設置される。従って、図３２に示される左右方向は実際と逆になる。ただし、左ベース板３２１は、装着部１１の前面から見て左側のベース板を示しており、右ベース板３２２は、装着部１１の前面から見て右側のベース板を示している。
【０１５１】
左ベース板３２１には、装着部１１が後方にスライドされ、モニタロック３３が装着部１１内に収納された状態において、装着部１１の前面の一部として平面を構成する前面パネル３４１が設けられている。また、左ベース板３２１には、装着部１１が後方にスライドされ、モニタロック３３が後方に下がる際に外側に向かって飛び出して、セットされたテレビジョン受像機２１の下部の接合部材に引っ掛けるフック３４２が、平行ピン３４３によって、平行ピン３４３を軸とする回転方向に回転可能に接続される。
【０１５２】
また、フック３４２の後方部分には、周囲の部分が回転可能なカムフォロア３４４が設けれれている。このカムフォロア３４４とフック３４２が接合される部分（つまりフック３４２側）と、左ベース板３２１の平行ピン３４３付近（つまり左ベース板３２１側）とがばね３４５により接続されている。
【０１５３】
上述したように、フック３４２は、平行ピン３４３の中心である点線３５１を軸とする、両矢印３５２に示されるような回転方向に回転する。これにより、矢印３５３や矢印３５４に示されるように、フック３４２は、その前方の鉤型の部分が外側に飛び出したり内側に引っ込んだりする。フック３４２は、カムフォロア３４４がガイドブロック３１５に当たることにより、矢印３５５に示されるように内側に押し込まれると、点線３５１を軸として回転し、鉤状の先端部が矢印３５３のように外側に飛び出す。このときばね３４５は伸びる。そして、このガイドブロック３１５とカムフォロア３４４が離れると、矢印３５５に示される方向に働く外力が無くなるので、ばね３４５の引っ張り戻す力によってフック３４２が、点線３５１を軸として回転し、鉤状の先端部が矢印３５４に示されるように内側に引き戻される。
【０１５４】
なお、カムフォロア３４４の側面は、カムフォロア３４４の中心である点線３５６を軸とする、両矢印３５７に示されるような回転方向に回転する。これにより、カムフォロア３４４は、ガイドブロック３１５の内側の側面を滑らかになぞることができる。つまり、カムフォロア３４４の側面が回転することにより、ガイドブロック３１５による抵抗力（摩擦力）の発生を抑制することができる。
【０１５５】
また、左ベース板３２１の前方中央よりには、つば３２４の一方の端を回動可能に接続するためのピン３４６が設けられている。このピン３４６は、つば３２４の一方の端に設けられた楕円状のガイド穴３８２に通すように設置される。つば３２４は、平行ピン３３１を軸として回転可能である。このつば３２４の回転によってピン３４６が、すなわち、左ベース板３２１の、平行ピン３３１、すなわち、中央ベース板３２５に対する位置が移動される。このピン３４６の移動により、左ベース板３２１は、開いたり閉じたりする。
【０１５６】
右ベース板３２２は、形状が異なるものの、左ベース板３２１と基本的に同様の構成を有している。例えば、前面パネル３４１に対応する前面パネル３６１が設けられていたり、先端が鉤状のフック３６２（フック３４２に対応する）が平行ピン３６３（平行ピン３４３に対応する）によって右ベース板３２２に回転可能に接続されたり、フック３６２の後部にカムフォロア３６４（カムフォロア３４４に対応する）が設けられたり、このカムフォロア３６４とフック３６２が接合される部分（つまりフック３６２側）と、右ベース板３２２の平行ピン３６３付近（つまり右ベース板３２２側）とがばね３６５により接続されたりする。
【０１５７】
上述した左ベース板３２１の場合と同様に、フック３６２は、平行ピン３６３の中心である点線３７１を軸とする、両矢印３７２に示されるような回転方向に回転する。これにより、矢印３７３や矢印３７４に示されるように、フック３６２は、その前方の鉤型の部分が外側に飛び出したり内側に引っ込んだりする。フック３６２は、カムフォロア３６４がガイドブロック３１４に当たることにより、矢印３７５に示されるように内側に押し込まれると、点線３７１を軸として回転し、鉤状の先端部が矢印３７３のように外側に飛び出す。このときばね３６５は伸びる。そして、このガイドブロック３１４とカムフォロア３６４が離れると、矢印３７５に示される方向に働く外力が無くなるので、ばね３６５の引っ張り戻す力によってフック３６２が、点線３７１を軸として回転し、鉤状の先端部が矢印３７４に示されるように内側に引き戻される。
【０１５８】
なお、カムフォロア３６４の側面は、カムフォロア３４４の場合と同様に、カムフォロア３６４の中心である点線３７６を軸とする、両矢印３５７に示されるような回転方向に回転する。これにより、カムフォロア３４４は、ガイドブロック３１５の内側の側面を滑らかになぞることができる。つまり、カムフォロア３４４の側面が回転することにより、ガイドブロック３１５による抵抗力（摩擦力）の発生を抑制することができる。
【０１５９】
また、右ベース板３２２の前方中央よりには、つば３２３の一方の端を回動可能に接続するためのピン３６６が設けられている。このピン３６６は、つば３２３の一方の端に設けられた楕円状のガイド穴３８１に通すように設置される。つば３２３は、平行ピン３３１を軸として回転可能である。このつば３２３の回転によってピン３６６が、すなわち、右ベース板３２２の、平行ピン３３１、すなわち、中央ベース板３２５に対する位置が移動される。このピン３６６の移動により、右ベース板３２２は、開いたり閉じたりする。
【０１６０】
なお、左ベース板３２１および右ベース板３２２の、中央ベース板３２５に対する可動範囲は、平行ピン３３２が左ベース板３２１や右ベース板３２２の凸部に当たることにより制限される。
【０１６１】
また、ピン３４６およびピン３６６は、互いにばね３９１を介して接続されている。ばね３９１は、両端を引き寄せる方向に引っ張る力（縮もうとする力）をピン３４６およびピン３６６に常時加えている。また、ピン３４６およびピン３４６は、上述したように、それぞれ、楕円形のガイド穴３８１またはガイド穴３８２に通されるように設置される。つまり、つば３２３およびつば３２４の開閉動作において、ばね３９１がピン３４６およびピン３４６に対して互いに引き寄せる方向に力を加えることにより、つば３２３およびつば３２４は２つの状態で安定する。つまり、つば３２３およびつば３２４は、図３２に示されるような、つば３２３およびつば３２４が開ききった状態か、若しくは、、つば３２３およびつば３２４が最も閉じている状態（図３３）で安定する。すなわち、ピン３４６およびピン３４６は、ばね３９１により互いに引っ張られているので、ガイド穴３８１およびガイド穴３８２のピン３３１側の端か、その反対側の端において安定する。ピン３４６およびピン３４６がガイド穴３８１およびガイド穴３８２のピン３３１側の端に位置する場合、図３２に示されるように、つば３２３およびつば３２４は、開ききった状態となる。逆に、ピン３４６およびピン３４６がガイド穴３８１およびガイド穴３８２のピン３３１側のと反対の端に位置する場合、図３３に示されるように、つば３２３およびつば３２４が最も閉じた状態となる。
【０１６２】
なお、図３２に示されるモニタロック３３の状態は、装着部１１内に収納される際の、所謂「閉じた状態」である。
【０１６３】
図３３は、図３２に示されるモニタロック３３の別の状態を示している。図３３は、例えば装着部１１が前方にスライドされていて、モニタロック３３がその装着部１１の前面より飛び出している状態を示している。つまり、図３３のモニタロック３３の状態は、所謂「開いた状態」である。
【０１６４】
図３３において、つば３２３およびつば３２４は、最も閉じた状態であり、ばね３９１によりこの状態で安定する。
【０１６５】
図３４は、スタンド１０本体側の構造について説明する図である。図３１においても説明したように、図３４においてフック３１１およびフック３１２は、左右に所定の間隔で並ぶように配置される。
【０１６６】
図３５は、この部分をスタンド１０の正面側より見た場合の図である。図３５に示されるように、フック３１２は、ピン４０１を用いてスタンド１０に接続されており、ピン４０１を軸としてスタンド１０に対して、矢印４０２のように前方に回転可能なように構成される。ただし、フック３１２は、図３５に示されるようにピン３１２が立った状態より後方には回転しないようになされている。フック３１１についても同様である。
【０１６７】
ばね支え３１３は、モニタフック３３のつば３２３が接触する接触部が、ばねを介してスタンド１０に接続されている。従って、このばね支え３１３は、モニタフック３３が当たる衝撃を抑制しつつ、つば３２３を押し戻して、モニタフック３３を閉じた状態にする。
【０１６８】
図３６乃至図４３は、モニタフック３３の動作の様子を説明するための、装着部１１およびスタンド１０本体を、上側から見た透視図である。従って、説明の便宜上、不要な構成は省略されている。
【０１６９】
最初に、図３６乃至図３８を参照して、テレビジョン受像機２１が装着部１１にセットされている場合について説明する。図３６は、スタンド１０の前方に位置していた装着部１１が、テレビジョン受像機２１をセットされた状態で、後方に押し込まれている状態を示している。
【０１７０】
図３６においては、装着部１１は前方に位置していたので、モニタロック３３は開いた状態であり、装着部１１の前面より飛び出している。また、この装着部１１が前方に移動した際に、フック３１１およびフック３１２がそれぞれ、つば３２４およびつば３２３を引っ掛けたので、つば３２４およびつば３２３は閉じている。図３６は、この装着部１１が、矢印４１１に示されるように後方に押し込まれ、カムフォロア３４４およびカムフォロア３６４がそれぞれガイドブロック３１５およびガイドブロック３１４に接するまで下げられた状態を示している。なお、上述したようにモニタフック３３は、開いた状態である。つまり、つば３２３およびつば３２４は、最も閉じた状態であるので、フック３１１およびフック３１２には、接触せずに、それらの内側を通過する。
【０１７１】
図３７は、図３６の状態より、装着部１１がさらに後方に押し込まれた様子を示している。装着部１１が図３６よりさらに押し下げられると、カムフォロア３４４およびカムフォロア３６４は、それぞれガイドブロック３１５およびガイドブロック３１４の内側の側面の形状により、矢印４２１および矢印４２２のように、まっすぐ下がってきていたそれらのカムフォロアの軌道が内側方向に変更される。従って、上述したように、鉤状のフック３４２およびフック３６２が、矢印４２３および矢印４２４に示されるように、外側に開くように飛び出し、接合部材５５Ａおよび接合部材５５Ｂを横方向および前後方向にロックする（固定する）。
【０１７２】
そした、図３８に示されるように、さらに装着部１１が後方に押し込まれると、接合部材５５Ａおよび接合部材５５Ｂは、フック３４２およびフック３６２により完全に固定される。このときテレビジョン受像機２１は、上部をモニタフック３１により固定され、下部をこのモニタロック３３のフック３４２およびフック３４３により固定される。従って、装着部１１は、より安定するようにテレビジョン受像機２１を固定することができる。
【０１７３】
なお、装着部１１にテレビジョン受像機２１が装着されている場合、接合部材５５Ａおよび接合部材５５Ｂや、モニタパイプ４１がスタンド１０本体に当たるので、装着部１１は、これ以上下がらない。従って、この場合ばね支え３１３は、つば３２３を押し戻さない。従って、図３８においても、モニタロック３３は、開いた状態のままである。
【０１７４】
次に、装着部１１に手例ビジョン受像機２１がセットされていない場合について、図３９乃至図４３を参照して説明する。
【０１７５】
図３９は、図３６の場合と同様に、前方に位置していた装着部１１が、テレビジョン受像機２１が装着されていない状態で、矢印４５１のように後方に押し込まれている状態を示している。この場合も、図３６の場合と同様に、カムフォロア３４４およびカムフォロア３６４がガイドブロック３１４とガイドブロック３１５にそれぞれ接している。なお、上述したようにモニタフック３３は、開いた状態である。つまり、つば３２３およびつば３２４は、最も閉じた状態であるので、フック３１１およびフック３１２には、接触せずに、それらの内側を通過する。ここまでは、テレビジョン受像機２１が装着部１１に装着されている場合もされていない場合も同様である。
【０１７６】
図４０は、図３９の状態から、装着部１１がさらに後方に押し込まれた状態を示している。図４０において、装着部１１が図３９よりさらに押し下げられると、カムフォロア３４４およびカムフォロア３６４は、図３７の場合と同様に、それぞれガイドブロック３１５およびガイドブロック３１４の内側の側面の形状により、矢印４７１および矢印４７２のように、まっすぐ下がってきていたそれらのカムフォロアの軌道が内側方向に変更される。従って、上述したように、鉤状のフック３４２およびフック３６２が、矢印４７３および矢印４７４に示されるように、外側に開くように飛び出す。ただしこの場合、装着部１１にテレビジョン受像機２１はセットされていないので、飛び出したフック３４２およびフック３６２は、何も固定しない。
【０１７７】
図４１は、図４０の状態から、装着部１１がさらに後方に押し込まれた状態を示している。図４１の場合、装着部１１にテレビジョン受像機２１が装着されていないので、装着部１１は、図３８の場合よりもさらに後方まで押し込まれる。このとき、つば３２３がばね支え３１３に接触すると、ばね支え３１３は、つば３２３を前方に押し返す。するとつば３２３とつば３２４は開く方向に力が加えられ、この力により、右ベース板３２２は、矢印４８１に示されるように後方に閉じる方向に回転動作する。
【０１７８】
そして、図４２に示されるように、右ベース板３２２が、矢印４８１に示されるように後方に閉じる方向に回転動作することにより、カムフォロア３６４は、矢印４８２に示されるように、ガイドブロック３１４の側面より離れる。すると、フック３６２は、ばね３６５の力により内側に閉じられる。
【０１７９】
このようにしてつば３２３とつば３２４がある程度開くと、今度はばね３９１の引っ張る力によりさらに開く方向に力が加えられる。すると、その力によって、左ベース板３２１に、矢印４８３に示されるように、後方に閉じる方向に回転動作する。この回転動作に伴って矢印４８４に示されるように、カムフォロア３４４が内側に引き込まれると、ガイドブロック３１５の側面より離れる。すると、フック３４２は、ばね３４５の力により内側に閉じられる。
【０１８０】
このようにして右ベース板３２２と左ベース板３２１は閉じていき、最終的に図４３に示されるように、前面パネル３４１と前面パネル３６１が装着部１１の前面の一部として１つの平面を形成するように平行になるまで閉じられ、モニタフック３３は、装着部１１内に完全に収納される。
【０１８１】
このように、モニタロック３３は、モニタフック３１の場合と同様に、装着部１１の前後方向のスライド動作に応じて、開く必要がある場合にのみ開き、閉じる必要がある場合にのみ閉じることができる。
【０１８２】
また、モニタフック３１がテレビジョン受像機３１の上部を上下方向に固定するのに対して、モニタロック３３は、テレビジョン受像機２１の下部を横方向および前後方向に固定するので、テレビジョン受像機３１は、これらによってより安定した状態で装着部１１に装着される。
【０１８３】
また、例えば、モニタロックを単純に装着部１１の動作に応じて開閉させることは、例えば、ワイヤ、ゴム、またはバネ等を用いて引っ張ったり、押したりすることにより実現可能であるが、構成が複雑になる恐れがあり、狭いスペースにおいてこれらの機能を実現することは困難である。また、より強度な耐久性を維持することは困難である。その場合、スタンド１０の製造コストが増大してしまう恐れがあるだけでなく、スタンド１０が複数のテレビジョン受像機２１を近接させて配置させることができなくなる恐れもある。
【０１８４】
これに対して、上述したモニタロック３１は、カムフォロアの軌道を制御することにより、単純な構造でフックの開閉を制御するので、製造コストを低減させ、装置規模を縮小し、耐久性を向上させたロック機構を実現する。
【０１８５】
このような省スペースに設置可能なモニタロック３３を用いることにより、スタンド１０は、上述したような装着部１１を実現することができ、ユーザが、設置された任意のテレビジョン受像機２１（モニタ）を容易に装着したり取り外したりすることができるように、複数のテレビジョン受像機２１（モニタ）を設置することができる。
【０１８６】
なお、以上においては、スタンド１０が９つのテレビジョン受像機２１を装着することが出来るように説明したが、その数は８個以下であってもよいし、１０個以上であってもよい。ただし、その場合、装着するテレビジョン受像機２１の最大数分だけ装着部１１を用意する必要がある。
【０１８７】
また、本明細書において、１つの装置として説明した構成を分割し、複数の装置として構成するようにしてもよい。逆に、以上において複数の装置として説明した構成をまとめて１つの装置として構成されるようにしてもよい。また、上述した以外の構成を付加するようにしてももちろんよい。さらに、装置全体としての構成や動作が実質的に同じであれば、ある部分の構成の一部を他の部分の構成に含めるようにしてもよい。
【図面の簡単な説明】
【０１８８】
【図１】本発明を適用した、スケーラブルTVシステムを設置するためのスタンドの一実施形態に係る構成例を示す図である。
【図２】図２は、図１に示されるスタンドを右側面より見た図である。
【図３】図３は、スタンドの様子の例を示す図である。
【図４】装着部の詳細な構成例を示す斜視図である。
【図５】装着部の詳細な構成例を示す斜視図である。
【図６】装着部を側面より見た図である。
【図７】テレビジョン受像機の背面の斜視図である。
【図８】装着部が前方にスライドされている状態を示す図である。
【図９】テレビジョン受像機が装着された装着部が後方にスライドされている状態を示す図である。
【図１０】装着部からテレビジョン受像機を取り外した状態を示す図である。
【図１１】後方に固定された装着部の様子を説明する図である。
【図１２】モニタフックの詳細な構成例を示す斜視図である。
【図１３】モニタフックの詳細な構成例を示す斜視図である。
【図１４】リンクの構成例を示す図である。
【図１５】モニタフックの様子を側面より見た透視図である。
【図１６】モニタフックの様子を側面より見た透視図である。
【図１７】モニタフックの様子を側面より見た透視図である。
【図１８】モニタフックの様子を側面より見た透視図である。
【図１９】モニタフックの様子を側面より見た透視図である。
【図２０】モニタフックの様子を側面より見た透視図である。
【図２１】モニタフックの様子を側面より見た透視図である。
【図２２】モニタフックの様子を側面より見た透視図である。
【図２３】モニタフックの様子を側面より見た透視図である。
【図２４】モニタフックの様子を側面より見た透視図である。
【図２５】モニタフックの様子を側面より見た透視図である。
【図２６】モニタフックの様子を側面より見た透視図である。
【図２７】コネクタの構成例を説明する図である。
【図２８】コネクタを、見た場合の透視図である。
【図２９】コネクタをスタンドの側面側より見た場合の透視図である。
【図３０】電気回路の構成例を示す図である。
【図３１】スタンドを上方から見た透視図である。
【図３２】下側後方から見た場合の斜視図である。
【図３３】モニタロックの別の状態を示している。
【図３４】スタンド本体側の構造について説明する図である。
【図３５】スタンドの正面側より見た場合
【図３６】装着部およびスタンド本体を、上側から見た透視図である。
【図３７】装着部およびスタンド本体を、上側から見た透視図である。
【図３８】装着部およびスタンド本体を、上側から見た透視図である。
【図３９】装着部およびスタンド本体を、上側から見た透視図である。
【図４０】装着部およびスタンド本体を、上側から見た透視図である。
【図４１】装着部およびスタンド本体を、上側から見た透視図である。
【図４２】装着部およびスタンド本体を、上側から見た透視図である。
【図４３】装着部およびスタンド本体を、上側から見た透視図である。
【符号の説明】
【０１８９】
１  スケーラブルTVシステム，  １０  スタンド，  １１  装着部，  １２  ラック，  １３  ボックス，  ２１  テレビジョン受像機，  ３１  モニタフック，  ３２  コネクタ，  ３３  モニタロック，  ４１  モニタパイプ，  ４２  パンタグラフ機構，  ５５Ａおよび５５Ｂ  接合部材，  ９１  電気ケーブル，  ９３  ワイヤ，  １１１  フック，  １１２  前面パネル，  １１４  チャック，  １２４  リンク，  １３１  フック支持支柱，  １３２  平行ピン，  ２３２  端子部，  ３１１および３１２  ロック，  ３１３  ばね支え  ３１４および３１５  ガイドブロック  ３２１  左ベース板，  ３２２  右ベース板，  ３２３および３２４  つば，  ３２５  中央ベース板，  ３３１  平行ピン，  ３４２  フック，  ３４４  カムフォロア，  ３６２  フック，  ３６４  カムフォロア，  ３９１  ばね
【図１】
2006308006.tif 000003
【図２】
2006308006.tif 000004
【図３】
2006308006.tif 000005
【図４】
2006308006.tif 000006
【図５】
2006308006.tif 000007
【図６】
2006308006.tif 000008
【図７】
2006308006.tif 000009
【図８】
2006308006.tif 000010
【図９】
2006308006.tif 000011
【図１０】
2006308006.tif 000012
【図１１】
2006308006.tif 000013
【図１２】
2006308006.tif 000014
【図１３】
2006308006.tif 000015
【図１４】
2006308006.tif 000016
【図１５】
2006308006.tif 000017
【図１６】
2006308006.tif 000018
【図１７】
2006308006.tif 000019
【図１８】
2006308006.tif 000020
【図１９】
2006308006.tif 000021
【図２０】
2006308006.tif 000022
【図２１】
2006308006.tif 000023
【図２２】
2006308006.tif 000024
【図２３】
2006308006.tif 000025
【図２４】
2006308006.tif 000026
【図２５】
2006308006.tif 000027
【図２６】
2006308006.tif 000028
【図２７】
2006308006.tif 000029
【図２８】
2006308006.tif 000030
【図２９】
2006308006.tif 000031
【図３０】
2006308006.tif 000032
【図３１】
2006308006.tif 000033
【図３２】
2006308006.tif 000034
【図３３】
2006308006.tif 000035
【図３４】
2006308006.tif 000036
【図３５】
2006308006.tif 000037
【図３６】
2006308006.tif 000038
【図３７】
2006308006.tif 000039
【図３８】
2006308006.tif 000040
【図３９】
2006308006.tif 000041
【図４０】
2006308006.tif 000042
【図４１】
2006308006.tif 000043
【図４２】
2006308006.tif 000044
【図４３】
2006308006.tif 000045